(57)【要約】【課題】使用位置及び収容位置において、インクタンクのインクの揮発を防止可能な筆記具を提供する。【解決手段】筆記具１が、軸筒２と、軸筒２内にインクを収容するインクタンク３と、芯保持部材４と、芯保持部材４によって保持されるペン芯５と、を具備し、芯保持部材４が、軸筒２の軸線に直交する回転軸線周りに回転可能で且つ軸筒２の軸線方向に前後に移動可能に軸筒２の一端に取り付けられ、それによってペン芯５が、軸筒２内に収容される収容位置と軸筒外に配置される使用位置との間で切り替え可能であり、収容位置において、ペン芯５はインクタンク３からインクを供給され、芯保持部材４が、収容位置及び使用位置において、軸筒２の一端の開口を閉鎖するように形成されている。【選択図】図１
2015037865.tif 000002
【特許請求の範囲】
【請求項１】
軸筒と、該軸筒内にインクを収容するインクタンクと、芯保持部材と、該芯保持部材によって保持されるペン芯と、を具備し、
前記芯保持部材が、前記軸筒の軸線に直交する回転軸線周りに回転可能で且つ前記軸筒の軸線方向に前後に移動可能に前記軸筒の一端に取り付けられ、それによって前記ペン芯が、前記軸筒内に収容される収容位置と前記軸筒の外に配置される使用位置との間で切り替え可能であり、
前記収容位置において、前記ペン芯は前記インクタンクからインクを供給され、
前記芯保持部材が、前記収容位置及び前記使用位置において、前記軸筒の前記一端の開口を閉鎖するように形成されていることを特徴とする筆記具。
【請求項２】
前記軸筒に対して前記軸線方向に移動可能に取り付けられたロッド部材をさらに具備し、前記芯保持部材が、前記ロッド部材によって回転可能に保持されていることを特徴とする請求項１に記載の筆記具。
【請求項３】
前記芯保持部材の前記軸線方向の移動に伴い前記芯保持部材を回転させて前記収容位置と前記使用位置とを切り替える切替機構をさらに具備することを特徴とする請求項１又は２に記載の筆記具。
【請求項４】
前記切替機構が、前記芯保持部材に設けられたピニオンと、該ピニオンと係合するラックとを有し、前記ピニオンと前記ラックとが、前記ピニオンの一方の回転方向においては係合し、前記ピニオンの他方の回転方向においては係合しないように形成され、前記ピニオンの回転によって前記芯保持部材が回転することを特徴とする請求項３に記載の筆記具。
【請求項５】
前記ラックが第１のラックと第２のラックとを有し、これらラックは、間に前記ピニオンを挟持するように配置され、前記芯保持部材の前進移動のときに第１のラックと前記ピニオンとが係合し且つ第２のラックと前記ピニオンとは係合せず、前記芯保持部材の後退移動のときに第１のラックと前記ピニオンとは係合せず且つ第２のラックと前記ピニオンとが係合することによって、前記ラックが前記ピニオンを回転させることを特徴とする請求項４に記載の筆記具。
【請求項６】
前記ラックが可撓性を有し、前記ラックを湾曲させることによって、前記ラックの両端部は前記軸線方向に移動可能に前記軸筒に配置され且つ中間部分に前記ピニオンと係合する湾曲部が形成され、前記芯保持部材の前記軸線方向の移動に伴う前記ラックの一方の端部の移動可能量及び他方の端部の移動可能量が異なるように形成されていることによって、前記ラックが前記ピニオンを回転させることを特徴とする請求項４に記載の筆記具。
【請求項７】
ノック体を有するノック機構をさらに具備し、前記芯保持部材が、前記ノック体を操作することによって前記軸線方向に移動することを特徴とする請求項１から６のいずれか１つに記載の筆記具。
【請求項８】
前記収容位置において、少なくとも、露出した前記芯保持部材の部分が、前記インクによる筆跡を消去可能な消去部材として形成されていることを特徴とする請求項１から７のいずれか１つに記載の筆記具。
【発明の詳細な説明】
【技術分野】
【０００１】
本発明は、筆記具に関する。
【背景技術】
【０００２】
軸筒内にインクを収容するインクタンクと、インクタンクに接続されたペン芯とを有し、筆記に応じてインクタンク内のインクがペン芯を介して筆記面に塗布される筆記具が公知である。こうしたペン芯を有する筆記具では、インクの揮発性が高いため、インクの揮発を防止することが重要である。
【０００３】
特許文献１の筆記具は、インクタンクとペン芯とが分離可能に形成され、キャップを有さない、いわゆるノック式の筆記具である。特許文献１の筆記具では、ペン芯を保持する芯保持部材が、軸筒の軸線方向に移動可能に配置されており、軸筒の軸線に直交する軸線回りに回動可能とされている。筆記具を使用しない収容位置では、ペン芯は軸筒内部に収容されている。特許文献１の筆記具は、軸筒端部の開口部を、ペン芯を保持する芯保持部材で閉鎖するようにしたので、収容位置では、キャップを使用することなく、インクの揮発を防止することができる。
【先行技術文献】
【特許文献】
【０００４】
【特許文献１】特開２００４−７４６３４号公報
【発明の概要】
【発明が解決しようとする課題】
【０００５】
しかしながら、特許文献１に記載の筆記具は、収容位置のときにはインクの揮発が防止されるものの、筆記具を使用する使用位置のときに、インクタンクのインクの揮発を防止するものではない。
【０００６】
本発明は、使用位置及び収容位置において、インクタンクのインクの揮発を防止可能な筆記具を提供する。
【課題を解決するための手段】
【０００７】
請求項１に記載の発明によれば、軸筒と、該軸筒内にインクを収容するインクタンクと、芯保持部材と、該芯保持部材によって保持されるペン芯と、を具備し、前記芯保持部材が、前記軸筒の軸線に直交する回転軸線周りに回転可能で且つ前記軸筒の軸線方向に前後に移動可能に前記軸筒の一端に取り付けられ、それによって前記ペン芯が、前記軸筒内に収容される収容位置と前記軸筒の外に配置される使用位置との間で切り替え可能であり、前記収容位置において、前記ペン芯は前記インクタンクからインクを供給され、前記芯保持部材が、前記収容位置及び前記使用位置において、前記軸筒の前記一端の開口を閉鎖するように形成されていることを特徴とする筆記具が提供される。
【０００８】
また、請求項２に記載の発明によれば請求項１に記載の発明において、前記軸筒に対して前記軸線方向に移動可能に取り付けられたロッド部材をさらに具備し、前記芯保持部材が、前記ロッド部材によって回転可能に保持されていることを特徴とする筆記具が提供される。
【０００９】
また、請求項３に記載の発明によれば請求項１又は２に記載の発明において、前記芯保持部材の前記軸線方向の移動に伴い前記芯保持部材を回転させて前記収容位置と前記使用位置とを切り替える切替機構をさらに具備することを特徴とする筆記具が提供される。
【００１０】
また、請求項４に記載の発明によれば請求項３に記載の発明において、前記切替機構が、前記芯保持部材に設けられたピニオンと、該ピニオンと係合するラックとを有し、前記ピニオンと前記ラックとが、前記ピニオンの一方の回転方向においては係合し、前記ピニオンの他方の回転方向においては係合しないように形成され、前記ピニオンの回転によって前記芯保持部材が回転することを特徴とする筆記具が提供される。
【００１１】
また、請求項５に記載の発明によれば請求項４に記載の発明において、前記ラックが第１のラックと第２のラックとを有し、これらラックは、間に前記ピニオンを挟持するように配置され、前記芯保持部材の前進移動のときに第１のラックと前記ピニオンとが係合し且つ第２のラックと前記ピニオンとは係合せず、前記芯保持部材の後退移動のときに第１のラックと前記ピニオンとは係合せず且つ第２のラックと前記ピニオンとが係合することによって、前記ラックが前記ピニオンを回転させることを特徴とする筆記具が提供される。ここで、本明細書中では、筆記具の軸線方向において、芯保持部材が配置されている側を「前」側と規定し、その反対側を「後」側と規定する。
【００１２】
また、請求項６に記載の発明によれば請求項４に記載の発明において、前記ラックが可撓性を有し、前記ラックを湾曲させることによって、前記ラックの両端部は前記軸線方向に移動可能に前記軸筒に配置され且つ中間部分に前記ピニオンと係合する湾曲部が形成され、前記芯保持部材の前記軸線方向の移動に伴う前記ラックの一方の端部の移動可能量及び他方の端部の移動可能量が異なるように形成されていることによって、前記ラックが前記ピニオンを回転させることを特徴とする筆記具が提供される。
【００１３】
また、請求項７に記載の発明によれば請求項１から６のいずれか１つに記載の発明において、ノック体を有するノック機構をさらに具備し、前記芯保持部材が、前記ノック体を操作することによって前記軸線方向に移動することを特徴とする筆記具が提供される。
【００１４】
また、請求項８に記載の発明によれば請求項１から７のいずれか１つに記載の発明において、前記収容位置において、少なくとも、露出した前記芯保持部材の部分が、前記インクによる筆跡を消去可能な消去部材として形成されていることを特徴とする筆記具が提供される。すなわち、請求項８に記載の発明では、ノック操作によって使用位置と消去位置とを速やかに切り替えることができる。
【発明の効果】
【００１５】
各請求項に記載の発明によれば、使用位置及び収容位置において、インクタンクのインクの揮発を防止するという共通の効果を奏する。
【図面の簡単な説明】
【００１６】
【図１】本発明の第１実施形態による筆記具の収容位置の斜視図である。
【図２】図１の筆記具の正面図である。
【図３】図１の筆記具の背面図である。
【図４】図１の筆記具の縦断面図である。
【図５】図１の筆記具の軸筒の斜視図である。
【図６】図１の筆記具の軸筒の縦断面図である。
【図７】図１の筆記具の芯保持部材の斜視図である。
【図８】図１の筆記具の部分拡大図である。
【図９】図１の筆記具の別の状態の正面図である。
【図１０】図１の筆記具のさらに別の状態の正面図である。
【図１１】図１の筆記具のさらに別の状態の正面図である。
【図１２】図１の筆記具の使用位置の正面図である。
【図１３】図１２の筆記具の縦断面図である。
【図１４】本発明の第２実施形態による筆記具の収容位置の正面図である。
【図１５】図１４の筆記具の別の状態の正面図である。
【図１６】図１４の筆記具のさらに別の状態の正面図である。
【図１７】図１４の筆記具の使用位置の正面図である。
【図１８】本発明の第３実施形態による筆記具の切替方法を説明する図である。
【図１９】図１８の筆記具の切替方法を説明する別の図である。
【発明を実施するための形態】
【００１７】
以下、図面を参照しながら本発明の実施の形態を詳細に説明する。全図面に渡り、対応する構成要素には共通の参照符号を付す。また、以下の説明では、筆記具としてマーカーペンを例に説明するが、これに限定されるものではない。
【００１８】
図１は、本発明の第１実施形態による筆記具１の収容位置の斜視図であり、図２は、図１の筆記具１の正面図であり、図３は、図１の筆記具１の背面図であり、図４は、図１の筆記具１の縦断面図である。
【００１９】
筆記具１は、円筒状に形成された軸筒２と、軸筒２内にインクを収容するインクタンク３（図４）と、軸筒２の一端に取り付けられた芯保持部材４と、芯保持部材４によって保持されるペン芯５（図４）と、軸筒２の他端に取り付けられたクリップ６とを有している。なお、本明細書中では、筆記具１の軸線方向において、芯保持部材４が配置されている側を「前」側と規定し、その反対側を「後」側と規定する。また、ペン芯５が軸筒２内に収容される位置（図４）を収容位置と称し、ペン芯５が軸筒２外に配置される位置（図１３）を使用位置と称する。
【００２０】
インクタンク３は、円柱状に形成された液体吸収性のある綿状の吸収部材から形成され、予めインクを吸収させている。インクタンク３は、中空の軸筒２の内部を前端側と後端側とに分割する隔壁２ａと、軸筒２の前端側の内周面とによって画成される空間内に、軸筒２の前端の開口から挿入される。ペン芯５も同様に、液体吸収性のある吸収部材から形成されている。
【００２１】
クリップ６は、円筒状に形成されたクリップ本体６ａと、クリップ本体６ａと一体的に形成され且つ軸筒２の側面との間で物を挟持可能なクリップ部６ｂとを有している。クリップ６は、クリップ本体６ａの前端部が軸筒２の後端部に螺合することによって、軸筒２に取り付けられている。
【００２２】
軸筒２の後端には、一端が中空のクリップ本体６ａを介して軸筒２内に挿入され且つ他端がクリップ本体６ａから外方へ突出するノック体７が取り付けられている。ノック体７は、軸筒２の軸線方向、すなわち筆記具１の軸線方向に前後に摺動可能である。
【００２３】
軸筒２の内部の隔壁２ａと、軸筒２の後端側の内周面とによって画成される空間内に、第１摺動部材８及び第２摺動部材９が配置されている。第１摺動部材８及び第２摺動部材９は、軸筒２の後端側の内径よりも僅かばかり小さい円板状の部材である。ノック体７の前端は、第１摺動部材８に連結されている。第１摺動部材８と第２摺動部材９との間には第１スプリング１０が配置され、第２摺動部材９と軸筒２の隔壁２ａとの間には第２スプリング１１が配置されている。第１スプリング１０は、第２スプリング１１よりもばね定数が大きい、すなわち強いばねである。
【００２４】
図５は、図１の筆記具１の軸筒２の斜視図であり、図６は、図１の筆記具１の軸筒２の縦断面図である。軸筒２の外周面には、後端よりやや前方部分から前端に亘って平坦な平坦部２ｂが形成されている。軸筒２の平坦部２ｂには、後端よりやや前方部分から前端に亘って平行な２本のリブ２ｃが形成されている。その結果、軸筒２の平坦部２ｂにおいて、２本のリブ２ｃの間には、ロッドガイド溝２ｄが形成され、２本のリブ２ｃの外側には、２本のラックガイド溝２ｅが形成されている。さらに、ロッドガイド溝２ｄの後部から平坦部２ｂの後端近傍まで延び且つ軸筒２の内部に連通するピンガイド孔２ｆが形成されている。なお、ロッドガイド溝２ｄ及びピンガイド孔２ｆは、軸筒２の外周面の反対側の対応する位置にも同様に形成されている。
【００２５】
図７は、図１の筆記具１の芯保持部材４の斜視図である。芯保持部材４は、変形した円柱状の保持部本体４ａを有している。すなわち、保持部本体４ａは、軸筒２の外径よりも僅かばかり小さい外径の円柱の外周面に対して、軸筒２の平坦部２ｂに対応する第１平坦部４ｂと、反対側の対応する位置においてより幅の狭い第２平坦部４ｃとを有するように形成されている。第１平坦部４ｂ及び第２平坦部４ｃ間を連通する貫通孔４ｄが形成されている。保持部本体４ａの一方の端面には、ペン芯５を装着する開口を形成するように環状壁４ｅが形成されている。保持部本体４ａの他方の端面には、軸筒２の前端の開口の径より僅かばかり小さい径を有する半球状の突起４ｆが形成されている。
【００２６】
軸筒２の２本のロッドガイド溝２ｄ内には、それぞれ棒状のロッド部材１２が軸線方向に摺動可能に配置されている。ロッド部材１２の各々の後端部は、対向するピンガイド孔２ｆ及び第２摺動部材９を貫通するピン部材１３によって、第２摺動部材９と共に互いに連結され、軸筒２に取り付けられている。従って、２本のロッド部材１２及び第２摺動部材９は、軸筒２の軸線方向に一体として移動可能である。また、ロッド部材１２の各々の前端部は、芯保持部材４を、後述するように、軸筒２の軸線に直交する回転軸線周りに回転可能に保持している。
【００２７】
軸筒２の２本のラックガイド溝２ｅには、ラック１４が軸線方向に摺動可能に配置されている。すなわち、ラック１４は、第１ラック１４ａと第２ラック１４ｂとを有し、第１ラック１４ａと第２ラック１４ｂは、それぞれラックガイド溝２ｅに配置されている。また、第１ラック１４ａ及び第２ラック１４ｂの後端部は、ロッド部材１２よりも後方において、連結部１４ｃによって互いに連結し、全体として略Ｕ字型を形成している。ラック１４の連結部１４ｃは、対向するピンガイド孔２ｆ及び第１摺動部材８を貫通するピン部材１５によって、第１摺動部材８に連結され、軸筒２に取り付けられている。従って、ラック１４及び第１摺動部材８は、軸筒２の軸線方向に一体として移動可能である。ラック１４の第１ラック１４ａ及び第２ラック１４ｂの前端部は、軸筒２の前端を超えて延びている。また、ラック１４の第１ラック１４ａ及び第２ラック１４ｂの前端部には、ピニオン１６と係合する歯１４ｄがそれぞれ対向して形成されている。
【００２８】
図８は、図１の筆記具１の部分拡大図である。芯保持部材４の第１平坦部４ｂには、ピニオン１６が一体的に取り付けられている。ロッド部材１２の各々の前端部は、ピニオン１６の回転中心及び芯保持部材４の貫通孔４ｄを貫通するピン部材１７によって、互いに連結され、芯保持部材４を回転可能に保持している。すなわち、ピニオン１６の回転中心は、芯保持部材４の貫通孔４ｄに整列して配置されている。なお、ピニオン１６は、芯保持部材４と一体的に形成してもよい。
【００２９】
ピニオン１６は、軸筒２の前端を超えて延びるラック１４の第１ラック１４ａ及び第２ラック１４ｂの前端部によって挟持されるように配置されている。ピニオン１６は、ラック１４の歯１４ｄと係合する歯１６ａが形成されている。ピニオン１６の歯１６ａ及びラック１４の歯１４ｄは、方向性を有している。すなわち、ピニオン１６の歯１６ａとラック１４の歯１４ｄとが、ピニオン１６の一方の回転方向においては係合し、ピニオン１６の他方の回転方向においては係合しないように形成されている。
【００３０】
ラック１４がピニオン１６に対して前進移動するときには、第１ラック１４ａの歯１４ｄが、ピニオン１６の歯１６ａに係合し、力を伝達してピニオン１６と共に芯保持部材４を反時計回りに回転させる。すなわち、第１ラック１４ａの歯１４ｄの歯面と、ピニオン１６の歯１６ａの歯面とは、互いの面に対して垂直方向に力が加わることから、ずれることがない。他方、第２ラック１４ｂの歯１４ｄは、ピニオン１６の歯１６ａに係合せず、力を伝達することがない。すなわち、第２ラック１４ｂの歯１４ｄの歯面と、ピニオン１６の歯１６ａの歯面とは、互いの面に対して斜め方向に力が加わることから、ずれてしまう。その結果、第２ラック１４ｂはピニオン１６から離間する方向に撓み、第２ラック１４ｂの歯１４ｄは、ピニオン１６の歯１６ａを乗り越えることから、第１ラック１４ａによるピニオン１６の反時計回りの回転を阻害しない。
【００３１】
同様に、ラック１４がピニオン１６に対して後退移動するときには、第２ラック１４ｂの歯１４ｄは、ピニオン１６の歯１６ａに係合し、力を伝達してピニオン１６を反時計回りに回転させる。他方、第１ラック１４ａの歯１４ｄは、ピニオン１６の歯１６ａに係合せず、第１ラック１４ｂによるピニオン１６の反時計回りの回転を阻害しない。
【００３２】
続いて、本発明の第１実施形態による筆記具１の使用方法について説明する。図９は、図１の筆記具１の別の状態の正面図であり、図１０は、図１の筆記具１のさらに別の状態の正面図であり、図１１は、図１の筆記具１のさらに別の状態の正面図であり、図１２は、図１の筆記具１の使用位置の正面図であり、図１３は、図１２の筆記具１の縦断面図である。
【００３３】
図２に示された収容位置から、ノック体７を操作すると、すなわちノック体７が前進するように押圧すると、筆記具１は図９に示された状態となる。すなわち、軸筒２の内部において、ノック体７の前進によって、ノック体７の前端に連結された第１摺動部材８が前進する。第１摺動部材８の前方には、第１スプリング１０が配置されているが、さらに前方に第２摺動部材９を介して第２スプリング１１が配置されている。第２スプリング１１は、第１スプリング１０よりもばね定数が小さい、すなわち弱いばねであることから、ノック体７の前進によってまずは第２スプリング１１が圧縮する。言い換えると、ノック体７の操作の初期においては、第１スプリング１０は圧縮しないことから、第１摺動部材８と第２摺動部材９とは、その相対的な距離を維持したまま前進する。従って、第１摺動部材８に連結されたラック１４と、第２摺動部材９に連結された２本のロッド部材１２及びその先端に保持された芯保持部材４とは、相対的な位置関係を維持したまま前進する（図９）。このとき、軸筒２内に収容されていたペン芯５が軸筒２外へ引き出される。
【００３４】
さらにノック体７を操作し、ノック体７を前進させると、筆記具１は図１０に示された状態となる。すなわち、第２摺動部材９の前進は、ピン部材１３がピンガイド孔２ｆの前端へ到達するか又は第２スプリング１１が限界まで圧縮されることによって停止する。その結果、第１スプリング１０の圧縮が開始され、第１摺動部材８と第２摺動部材９との相対的な距離が短くなる。従って、第２摺動部材９に連結された２本のロッド部材１２及びその先端に保持された芯保持部材４が停止しているのに対し、第１摺動部材８に連結されたラック１４は前進する。その結果、上述したように、ラック１４の第１ラック１４ａがピニオン１６と係合して、ピニオン１６を図１０において反時計回りに回転させる。第１摺動部材８に連結されたラック１４のピニオン１６に対する相対的な前進、すなわちピニオン１６の回転は、ノック体７のストロークの限界に達するか又は第１スプリング１０が限界まで圧縮されることによって停止する。このとき、ピニオン１６の回転角、すなわち芯保持部材４の回転角は、筆記具１の収納位置から反時計回りに約９０度である（図１０）。
【００３５】
次いで、ノック体７に加えている押圧力を徐々に減少させると、筆記具１は図１１に示された状態となる。すなわち、ノック体７への押圧力の減少によって、まずはばね定数の大きい第１スプリング１０から自然長に復帰する。第１スプリング１０の自然長への復帰の間は、第２摺動部材９は略停止した状態を維持する。その結果、第１摺動部材８と第２摺動部材９との相対的な距離が長くなる。従って、第２摺動部材９に連結された２本のロッド部材１２及びその先端に保持された芯保持部材４が停止しているのに対し、第１摺動部材８に連結されたラック１４は後退する。その結果、上述したように、ラック１４の第２ラック１４ｂがピニオン１６と係合して、ピニオン１６を反時計回りに回転させる。第１摺動部材８に連結されたラック１４のピニオン１６に対する相対的な後退は、第１スプリング１０の自然長への復帰によって停止する。このときのピニオン１６の回転角、すなわち芯保持部材４の回転角は、図１０の状態から反時計回りに約９０度、言い換えると筆記具１の収納位置から反時計回りに１８０度の位置である（図１１）。従って、ペン芯５は、その先端が筆記具１の前方を向くように配置されている。
【００３６】
次いで、ノック体７に加えている押圧力を完全に除去すると、筆記具１は図１２に示された状態、すなわち使用位置となる。すなわち、ノック体７への押圧力の除去によって、第２スプリング１１も自然長に復帰すると共にノック体７も元の位置に復帰する。このとき、第１スプリング１０は、すでに自然長に復帰していることから、第１摺動部材８と第２摺動部材９とは、その相対的な距離を維持したまま後退する。従って、第１摺動部材８に連結されたラック１４と、第２摺動部材９に連結された２本のロッド部材１２及びその先端に保持された芯保持部材４とは、相対的な位置関係を維持したまま、ピニオン１６を回転させることなく後退する。その結果、筆記具１は、使用位置となる（図１２）。なお、上述したノック操作を再び行うことによって、筆記具１を再び収容位置にすることができる。
【００３７】
以上より、本発明の第１実施形態による筆記具１は、芯保持部材４の軸線方向の移動に伴い、ラック１４及びピニオン１６を利用して芯保持部材４を回転させて収容位置と使用位置とを切り替える切替機構を有していると言える。
【００３８】
筆記具１において、ロッド部材１２や第１摺動部材８及び第２摺動部材９、各ピン部材は、例えば金属材料から形成される。軸筒２、芯保持部材４、ノック体７、ラック１４、ピニオン１６等のその他の部材は、例えばポリカーボネート樹脂といった硬質樹脂材料から形成される。
【００３９】
図１４は、本発明の第２実施形態による筆記具２０の収容位置の正面図であり、図１５は、図１４の筆記具２０の別の状態の正面図であり、図１６は、図１４の筆記具２０のさらに別の状態の正面図であり、図１７は、図１４の筆記具２０の使用位置の正面図である。
【００４０】
本発明の第２実施形態による筆記具２０は、芯保持部材４の軸線方向の移動に伴い、ラック及びピニオンを利用して芯保持部材４を回転させて収容位置と使用位置とを切り替える切替機構を有しているという点で、本発明の第１実施形態による筆記具１と同様である。
【００４１】
詳細には、筆記具２０は、本発明の第１実施形態による筆記具１と比較して、Ｕ字型のラック１４の代わりに可撓性のラック２４を、ピニオン１６の代わりにピニオン１６よりも小さいピニオン２６を、ラックガイド溝２ｅの代わりに長さの違う２本のラックガイド溝２２ｅを備えた軸筒２２を、有しており、軸筒２２の内部において、第１摺動部材８及び第１スプリング１０を有していない。すなわち、図示しないが、筆記具２０の軸筒２２内には、隔壁２２ａと第２摺動部材９との間に第２スプリング１１のみが配置され、第２摺動部材９がノック体７の前端に連結されている。従って、ノック体７の操作によって、第２摺動部材９の移動に応じて２本のロッド部材１２が前後に摺動する。
【００４２】
軸筒２２のラックガイド溝２２ｅの各々は、軸筒２２の前端から軸線方向の等しい位置に後端を有している。一方のラックガイド溝２２ｅは、軸筒２２の前端近傍まで延びているのに対し、他方のラックガイド溝２２ｅは、軸筒２２の前端からやや後方位置にまで延びている。また、２本のラックガイド溝２２ｅは、ロッド部材１２から周方向に等しく離間して形成されている。全長の長い方のラックガイド溝２２ｅ内には第３スプリング２７が、また、全長の短い方のラックガイド溝２２ｅ内には第４スプリング２８が、それぞれ溝から脱落しないように伸縮可能に配置されている。
【００４３】
ラック２４は、湾曲させてＵ字型を形成している。ラック２４の第１端部２４ａは、第３スプリング２７の前端に取り付けられ、ラック２４の第２端部２４ｂは第４スプリング２８の前端に取り付けられている。２本のラックガイド溝２２ｅは、上述したように、互いに異なる全長を有することから、ラック２４の両端は、軸線方向の移動可能量が互いに異なっている。ラック２４の中間部分は、その可撓性によって湾曲した湾曲部２４ｃが形成され、湾曲部２４ｃの内側、すなわち後端側にピニオン２６が当接するように配置されている。なお、ラック２４における湾曲部２４ｃの部分は、両端の移動量の違いによりラック２４の長さ方向に遷移する。
【００４４】
筆記具２０の収容位置及び使用位置において、第３スプリング２７は自然長か又はラック２４の第１端部２４ａを後方へ付勢し、第４スプリング２８は自然長か又はラック２４の第２端部２４ｂを後方へ付勢している。従って、ラック２４の第１端部２４ａ及び第２端部２４ｂの前進によって、第３スプリング２７及び第４スプリング２８の長さが長くなるほど、付勢力も増加する。
【００４５】
ラック２４の少なくともピニオン２６と当接しうる箇所、すなわち湾曲部２４ｃとなり得る箇所にはピニオン２６の歯と係合する歯が形成されている。ラック２４の歯とピニオン２６の歯とは、第１実施形態の筆記具１のラック１４とピニオン１６と同様の方向性を有している。すなわち、ピニオン２６とラック２４とが、ピニオン２６の反時計回りの回転方向においては係合し、ピニオン１６の時計回りの回転方向においては係合しないように形成されている。
【００４６】
図１４に示された収容位置から、ノック体７を操作すると、すなわちノック体７が前進するように押圧すると、筆記具２０は図１５に示された状態となる。すなわち、軸筒２２の内部において、ノック体７の前進によって、ノック体７の前端に連結された第２摺動部材９が前進する。このとき、第２摺動部材９の前方には、第２スプリング１１が配置されているため、ノック体７の前進によって第２スプリング１１が圧縮する。従って、ノック体７の前進によって、第２摺動部材９に連結された２本のロッド部材１２及びその先端に保持された芯保持部材４が、前進する。芯保持部材４の前進に伴い、ピニオン２６に当接したラック２４は、第３スプリング２７及び第４スプリング２８の付勢力に抗して前進する。このとき、ラック２４の両端は、ノック体７の操作の初期においては、全長の短い方のラックガイド溝２２ｅに配置されたラック２４の第２端部２４ｂが、ラックガイド溝２２ｅの前端で停止するまで、等距離だけ前進する（図１５）。
【００４７】
さらにノック体７を操作し、ノック体７を前進させると、筆記具２０は図１６に示された状態となる。すなわち、第２摺動部材９の前進は、ピン部材１３がピンガイド孔２２ｆの前端へ到達するか、又は、第２スプリング１１が限界まで圧縮されるか、又は、ノック体７が完全に軸筒２２内に没入して押圧できなくなることによって停止する。このとき、第２摺動部材９の前進が停止するまで、第２摺動部材９に連結された２本のロッド部材１２及びその先端に保持された芯保持部材４も前進する。芯保持部材４の前進に伴い、全長の長い方のラックガイド溝２２ｅに配置されたラック２４の第１端部２４ａは、ラックガイド溝２２ｅの前端に達するまで前進する。ラック２４の第２端部２４ｂが停止しつつ第１端部２４ａのみ前進することから、湾曲部２４ｃは、ラック２４の第１端部２４ａの方向に相対的に移動する。その結果、ラック２４の湾曲部２４ｃは、ピニオン２６周りを反時計回りに回転するように相対的に移動することから、ラック２４の歯とピニオン２６の歯とが係合して、ピニオン２６、ひいては芯保持部材４を反時計回りに１８０度回転させる（図１６）。
【００４８】
次いで、ノック体７に加えている押圧力を完全に除去すると、筆記具２０は図１７に示された状態、すなわち使用位置となる。すなわち、ノック体７への押圧力の除去によって、第２スプリング１１も自然長に復帰すると共にノック体７も元の位置に復帰する。このとき、ノック体７の前端に連結された第２摺動部材９の後退によって、第２摺動部材９に連結された２本のロッド部材１２及びその先端に保持された芯保持部材４も後退する。それによって、第３スプリング２７及び第４スプリング２８の付勢力によって、ラック２４の第１端部２４ａ及び第２端部２４ｂも後退する。移動可能量のより大きいラック２４の第１端部２４ａの後退によって、湾曲部２４ｃは、ラック２４の第２端部２４ｂの方向に相対的に移動する。従って、ラック２４の湾曲部２４ｃは、ピニオン２６周りを時計回りに回転するように相対的に移動する。上述したように、ラック２４の歯とピニオン２６の歯とは方向性を有することから、ピニオン２６は、回転することなく後退する。その結果、筆記具２０は、使用位置となる（図１７）。なお、上述したノック操作を再び行うことによって、筆記具２０を再び収容位置にすることができる。
【００４９】
図１８は、本発明の第３実施形態による筆記具３０の切替方法を説明する図であり、図１９は、図１８の筆記具３０の切替方法を説明する別の図である。
【００５０】
本発明の第３実施形態による筆記具３０は、第１実施形態による筆記具１及び第２実施形態による筆記具２０のような、ラック及びピニオンを用いて芯保持部材４を回転させるような構成ではない。
【００５１】
詳細には、筆記具３０は、本発明の第１実施形態による筆記具１と比較して、ラック１４及びピニオン１６、第１摺動部材８及び第１スプリング１０を有していない。すなわち、図示しないが、筆記具３０の軸筒３２内には、隔壁３２ａと第２摺動部材９との間に第２スプリング１１のみが配置され、第２摺動部材９がノック体７の前端に連結されている。従って、ノック体７の操作によって、第２摺動部材９の移動に応じて２本のロッド部材１２が前後に摺動する。
【００５２】
本発明の第３実施形態による筆記具３０の使用方法について説明する。筆記具３０の収容位置（図１８（ａ））において、筆記具３０の軸線及び芯保持部材４の回転軸線が水平となるように保持する。この状態で、ノック体７を操作すると、芯保持部材４が前進して軸筒３２から離間し、重力によって、ペン芯５側が鉛直下方に配置され且つ突起４ｆ側が鉛直上方へ配置される（図１８（ｂ））。言い換えると、筆記具３０では、ノック体７を操作して芯保持部材４が前進させた直後の状態で、ペン芯５側及び突起４ｆ側が釣り合うことのないように構成される。従って、ペン芯５側が鉛直上方に配置され且つ突起４ｆ側が鉛直下方へ配置されるようにしてもよい。
【００５３】
次いで、軸筒３２の前端側が鉛直下方を向くように、筆記具３０を持ち替える（図１８（ｃ））。次いで、ノック体７に加えている押圧力を完全に除去すると、第２スプリング１１の付勢力によって、ノック体７が復帰すると共に芯保持部材４が後退し、筆記具３０は使用位置となる（図１８（ｄ））。
【００５４】
同様に、筆記具３０の使用位置（図１９（ａ））において、筆記具３０自体及び芯保持部材４の回転軸線が水平となるように保持する。この状態で、ノック体７を操作すると、芯保持部材４が前進して軸筒３２から離間し、重力によって、再びペン芯５側が鉛直下方に配置され且つ突起４ｆ側が鉛直上方へ配置される（図１９（ｂ））。
【００５５】
次いで、軸筒３２の前端側が鉛直上方を向くように、筆記具３０を持ち替える（図１９（ｃ））。次いで、ノック体７に加えている押圧力を完全に除去すると、第２スプリング１１の付勢力によって、ノック体７が復帰すると共に筆記具３０は収容位置となる（図１９（ｄ））。
【００５６】
なお、本発明の第３実施形態による筆記具３０、又は、図１８（ｂ）に示されるようにノック体７を操作して芯保持部材４を前進させた直後の状態で、ペン芯５側及び突起４ｆ側が釣り合うように構成された筆記具において、筆記具を保持している手とは反対の手を用いて、芯保持部材４を回転させることによって、収容位置と使用位置とを切り替えるようにしてもよい。
【００５７】
上述した本発明の実施形態による筆記具では、筆記具の収容位置においては、例えば図４に示されるように、芯保持部材４の環状壁４ｅがペン芯５と共に軸筒２内へ収容されると共に環状壁４ｅの周囲の環状の平坦な端面が軸筒２の前端の開口を閉鎖している。従って、筆記具の収容位置において、軸筒の前端側の空間は閉鎖され、インクタンク３のインクの揮発が防止される。他方、筆記具の使用位置においては、例えば図１３に示されるように、芯保持部材４の突起４ｆが軸筒２内へ収容されると共に突起４ｆの周囲の環状の平坦な端面が軸筒２の前端の開口を閉鎖している。従って、筆記具の使用位置において、軸筒の前端側の空間は閉鎖され、インクタンク３のインクの揮発が防止される。すなわち、上述した本発明の実施形態による筆記具では、使用位置及び収容位置において、インクタンク３のインクの揮発を防止することができる。
【００５８】
また、収容位置と使用位置との切り替えが、非常にコンパクトに実装されていることから、全体として小型であり且つ携帯性に優れている。特に、第１実施形態による筆記具１及び第２実施形態による筆記具２０では、収容位置と使用位置との切り替えが、１回のノック操作で簡単に行うことができる。また、第３実施形態による筆記具３０では、使用位置及び収容位置におけるインクタンク３のインクの揮発防止を、より簡易な機構で実現することができる。
【００５９】
なお、筆記具の収容位置においては、例えば図４に示されるように、ペン芯５の先端が後方を向くように配置されており、且つ、ペン芯５の先端がインクタンク３に対して接触している。従って、ペン芯５に吸収されたインクが、筆記又は乾燥によって不足した場合、筆跡がかすれてしまう。この場合、筆記具を収容位置にすることによって、ペン芯５は、インクタンク３からインクを供給され、筆記性能が回復する。当然のことながら、筆記具の収容位置においては、芯保持部材４によって軸筒２の前端側の空間は閉鎖されていることから、ペン芯５に吸収されたインクの揮発も防止される。
【００６０】
上述した実施形態による筆記具において、インクタンク３に含まれるインクは、例えばマーカーペンやサインペン用であるが、ペン芯５を万年筆の筆記芯に置き換えることによって、万年筆用のインクとしてもよい。また、インクタンク３に含まれるインクを、糊や接着剤等に置き換えてもよい。
【００６１】
さらにインクタンク３に含まれるインクを、摩擦体によって擦過した際に生じる摩擦熱によって変色可能な熱変色性インク、又は、消しゴムによって消去可能な消去性インクとしてもよい。ここで、熱変色性インクとは、常温（例えば２５℃）で所定の色彩（第１色）を維持し、所定温度（例えば６０℃）まで昇温させると別の色彩（第２色）へと変化し、その後、所定温度（例えば−５℃）まで冷却させると、再び元の色彩（第１色）へと復帰する性質を有するインクを言う。熱変色性インクを用いた筆記具１では上記第２色を無色とし、第１色（例えば赤）で筆記した描線を昇温させて無色とすることを、ここでは「消去する」ということとする。従って、描線が筆記された紙面等に対して消去部材としての摩擦体によって擦過して摩擦熱を生じさせ、それによって描線を無色に変化、すなわち消去させる。なお、当然のことながら上記第２色は、無色以外の有色でもよい。
【００６２】
芯保持部材４の半球状の突起４ｆの表面又は芯保持部材４を、熱変色性インクのための摩擦体又は消色性インクのための消去部材として形成してもよい。この場合、芯保持部材４の半球状の突起４ｆの表面又は芯保持部材４を形成する材料として、シリコーンゴム、ニトリルゴム、エチレンプロピレンゴム、エチレンプロピレンジエンゴム等の熱硬化性ゴムやスチレン系エラストマー、オレフィン系エラストマー、ポリエステル系エラストマー等の熱可塑性エラストマーといったゴム弾性材料、２種以上のゴム弾性材料の混合物、及び、ゴム弾性材料と合成樹脂との混合物、市販されている消しゴム等が挙げられる。
【００６３】
芯保持部材４の半球状の突起４ｆの表面又は芯保持部材４を、摩擦体又は消去部材とすると、筆記具１の収容位置において、露出した芯保持部材４の部分で筆記具１のインクによる筆跡の消去が可能となる。すなわち、収容位置、言い換えると消去位置において、露出した芯保持部材の部分は、筆記具１のインクによる筆跡を消去可能な消去部材として形成されている。従って、この場合、筆記具１は、ノック操作によって使用位置と消去位置とを速やかに切り替えることができる。
【００６４】
なお、本発明における「消去」とは、上記熱変色性インクを用いた場合以外にも、筆記した描線、文字等を消しゴム等の消去部材で吸着又は擦過により削ぎ落とすことをいう。従って、本発明は、筆記した描線を、消去部材を用いて消去する任意の筆記具にも適用可能である。
【符号の説明】
【００６５】
１    筆記具
２    軸筒
３    インクタンク
４    芯保持部材
５    ペン芯
６    クリップ
７    ノック体
１２    ロッド部材
１４    ラック
１６    ピニオン
【図１】
2015037865.tif 000003
【図２】
2015037865.tif 000004
【図３】
2015037865.tif 000005
【図４】
2015037865.tif 000006
【図５】
2015037865.tif 000007
【図６】
2015037865.tif 000008
【図７】
2015037865.tif 000009
【図８】
2015037865.tif 000010
【図９】
2015037865.tif 000011
【図１０】
2015037865.tif 000012
【図１１】
2015037865.tif 000013
【図１２】
2015037865.tif 000014
【図１３】
2015037865.tif 000015
【図１４】
2015037865.tif 000016
【図１５】
2015037865.tif 000017
【図１６】
2015037865.tif 000018
【図１７】
2015037865.tif 000019
【図１８】
2015037865.tif 000020
【図１９】
2015037865.tif 000021